(57)【特許請求の範囲】
【請求項１】
吸収体が固定されるとともに、着用者の腹周り及び背周りをそれぞれ被覆する腹側部及び背側部が設けられた外装体を備え、前記腹側部及び前記背側部の各々の幅方向側両縁部を互いに重ね合わせて固着することでパンツ型に成形される紙おむつであって、
前記腹側部及び前記背側部の幅方向側両縁部のうち、少なくとも一側の縁部には、当該紙おむつがパンツ型に成形された状態で互いに重ね合わされるとともに、固着された前記腹側部及び前記背側部の幅方向側両縁部どうしを引き剥がす際に把持される腹側取手部材及び背側取手部材が設けられ、
前記腹側取手部材及び前記背側取手部材は、
当該腹側取手部材及び背側取手部材が設けられた各縁部よりも幅方向外側に突出し、当該腹側取手部材及び背側取手部材が重ね合わされた状態で対向するように形成された把持部と、
当該腹側取手部材及び背側取手部材が重ね合わされた状態で対向する位置に、当該腹側取手部材及び背側取手部材が設けられた各縁部を露出させて当該縁部の露出された部分どうしを固着させるための開口部が少なくとも一つ設けられた取手本体部と、を有することを特徴とする紙おむつ。
【請求項２】
前記把持部は、当該腹側取手部材及び背側取手部材における前記腹側部及び前記背側部の幅方向側両縁部どうしの引き剥がし方向上流側に配設され、
前記取手本体部は、
当該腹側取手部材及び背側取手部材が設けられた縁部にて前記幅方向に略直交する直交方向に沿って延在し、多角形状をなす前記開口部が複数形成され、
前記複数の開口部のうち、前記把持部側の所定数の開口部は、各開口部の一の角部が前記把持部と対向するように配置されていることを特徴とする請求項１に記載の紙おむつ。
【請求項３】
前記複数の開口部は、前記引き剥がし方向下流側に各開口部の一の角部が配置されるように前記引き剥がし方向に沿って所定間隔を空けて配設されていることを特徴とする請求項２に記載の紙おむつ。
【請求項４】
前記開口部は、前記幅方向内側の一の辺が前記幅方向と略直交する直交方向に延在するように配設されていることを特徴とする請求項１〜３の何れか一項に記載の紙おむつ。
【発明の詳細な説明】
【技術分野】
【０００１】
本発明は、パンツ型に成形される紙おむつに関する。
【背景技術】
【０００２】
従来、紙おむつの腹側部の幅方向側の各縁部と背側部の幅方向側の各縁部がそれぞれ固着されてパンツ型の形状に成形されるものが知られている。
このパンツ型に成形される紙おむつとして、脇部のサイドシールパターンを引き剥がし方向（例えば、上下方向）に破れ易く、引き剥がし方向と直交する方向に破れ難いような形状に形成したものがある（例えば、特許文献１参照）。また、紙おむつ等の吸収性物品に、腹側部と背側部とを締着する一対のサイドシーム（締着装置）を具備するものも知られている（例えば、特許文献２参照）。
【先行技術文献】
【特許文献】
【０００３】
【特許文献１】特開２００３−３３９７７２号公報
【特許文献２】特表２００８−５４００５８号公報
【発明の概要】
【発明が解決しようとする課題】
【０００４】
しかしながら、上記特許文献１の場合、上記のようなサイドシールパターンを形成しても、当該紙おむつの使用後等にサイドシールを引き剥がす際には紙おむつの肌側の面と着用者の肌との間に指や爪を挿入しなければならず使い勝手が悪いといった問題がある。
これに対して、特許文献２の場合、サイドシールを把持して所定方向に引っ張るだけで腹側部と背側部とを引き剥がすことができるものの、このとき、サイドシールが止着されている部分（例えば、背側部）が弾性部材の伸縮作用により伸張してしまい、引き剥がし難いといった問題がある。
【０００５】
そこで、本発明の課題は、固着された腹側部と背側部とを容易に引き剥がすことができる紙おむつを提供することである。
【課題を解決するための手段】
【０００６】
上記課題を解決するため、請求項１に記載の発明は、
吸収体が固定されるとともに、着用者の腹周り及び背周りをそれぞれ被覆する腹側部及び背側部が設けられた外装体を備え、前記腹側部及び前記背側部の各々の幅方向側両縁部を互いに重ね合わせて固着することでパンツ型に成形される紙おむつであって、
前記腹側部及び前記背側部の幅方向側両縁部のうち、少なくとも一側の縁部には、当該紙おむつがパンツ型に成形された状態で互いに重ね合わされるとともに、固着された前記腹側部及び前記背側部の幅方向側両縁部どうしを引き剥がす際に把持される腹側取手部材及び背側取手部材が設けられ、
前記腹側取手部材及び前記背側取手部材は、
当該腹側取手部材及び背側取手部材が設けられた各縁部よりも幅方向外側に突出し、当該腹側取手部材及び背側取手部材が重ね合わされた状態で対向するように形成された把持部と、
当該腹側取手部材及び背側取手部材が重ね合わされた状態で対向する位置に、当該腹側取手部材及び背側取手部材が設けられた各縁部を露出させて当該縁部の露出された部分どうしを固着させるための開口部が少なくとも一つ設けられた取手本体部と、を有することを特徴としている。
【０００７】
請求項２に記載の発明は、請求項１に記載の紙おむつにおいて、
前記把持部は、当該腹側取手部材及び背側取手部材における前記腹側部及び前記背側部の幅方向側両縁部どうしの引き剥がし方向上流側に配設され、
前記取手本体部は、
当該腹側取手部材及び背側取手部材が設けられた縁部にて前記幅方向に略直交する直交方向に沿って延在し、多角形状をなす前記開口部が複数形成され、
前記複数の開口部のうち、前記把持部側の所定数の開口部は、各開口部の一の角部が前記把持部と対向するように配置されていることを特徴としている。
【０００８】
請求項３に記載の発明は、請求項２に記載の紙おむつにおいて、
前記複数の開口部は、前記引き剥がし方向下流側に各開口部の一の角部が配置されるように前記引き剥がし方向に沿って所定間隔を空けて配設されていることを特徴としている。
【０００９】
請求項４に記載の発明は、請求項１〜３の何れか一項に記載の紙おむつにおいて、
前記開口部は、前記幅方向内側の一の辺が前記幅方向と略直交する直交方向に延在するように配設されていることを特徴としている。
【発明の効果】
【００１０】
本発明によれば、固着された腹側部及び背側部の幅方向側両縁部どうしを引き剥がす際に、腹側取手部材及び背側取手部材の対向する両把持部が互いに離れる方向に力が加えられるだけで、腹側取手部材及び背側取手部材が設けられた各縁部における、開口部を介して露出され固着された部分を引き剥がすことができ、これにより、固着された腹側部と背側部とを容易に引き剥がすことができる。
【図面の簡単な説明】
【００１１】
【図１】本発明を適用した吸収性物品として例示する一実施形態の紙おむつの展開図である。
【図２】図１のII−II線における紙おむつの要部断面図である。
【図３】図１の紙おむつを組み立てた状態を示す斜視図である。
【図４】図１の紙おむつの腹側部に備わる腹側取手部材を示す図である。
【図５】図１の紙おむつの脇部の一部を引き剥がした状態を示す斜視図である。
【図６】腹側取手部材の変形例を示す図である。
【図７】腹側取手部材の変形例を示す図である。
【発明を実施するための形態】
【００１２】
以下に、本発明について、図面を用いて具体的な態様を説明する。ただし、発明の範囲は、図示例に限定されない。
【００１３】
図１は、本発明を適用した一実施形態の紙おむつ１００の展開図であり、図２は、図１のII−II線における紙おむつ１００の要部断面図である。また、図３は、紙おむつ１００を組み立てた状態を示す斜視図である。
【００１４】
本実施形態の紙おむつ１００は、例えば、着用者の股下側を腹側から背側にかけて覆うパンツ形状に形成される紙おむつ１００である（図３参照）。
なお、以下の説明にあっては、着用者の背側から股下を通って腹側に亘る方向を長手方向Ｘとし、長手方向Ｘに略直交する一の方向を幅方向Ｙとする。
【００１５】
具体的には、図１〜図３に示すように、紙おむつ１００は、当該紙おむつ１００の着用者の身体と接する接触面に配されるトップシート１と、使用装着時に外部側に設けられる外装体２と、トップシート１と外装体２との間に介装される吸収体３と、この吸収体３の幅方向Ｙ側両縁部に設けられたギャザーシート４とを備えている。
【００１６】
トップシート１は、尿などの体液を速やかに透過させる透液性を有し、吸収体３の表面側（肌側）を覆う形状に形成されている。
また、トップシート１は、例えば、透液性の不織布等により形成されている。
トップシート１を形成する不織布の素材としては、天然繊維、合成繊維のいずれを用いても良い。天然繊維としては、例えば、綿、セルロース（木材パルプ）、羊毛、絹等が挙げられる。また、合成繊維としては、例えば、ポリプロピレン（PP）、ポリエチレン（PE）、ナイロン、ポリエステル（PET）、アクリル等が挙げられる。また、PE/PP混合不織布、PE/PET混合不織布、上記素材を適宜組み合わせたバイコンポーネント繊維（混合繊維）もトップシート１として用いることができる。
【００１７】
外装体２は、不透液性を有する不織布からなる外面シート２ａと、この外面シート２ａに貼設された透液性の内面シート２ｂとにより構成され、吸収体３の裏面側（装着時における外部側）を覆う形状に形成されている。
【００１８】
内面シート２ｂは、例えば、撥水性の不織布等により形成されている。また、内面シート２ｂを形成する不織布の素材としては、例えば、トップシート１を形成する不織布と同様の素材が挙げられる。
【００１９】
外装体２の長手方向Ｘの一方の端部には、当該紙おむつ１００の着用者の腹周りを被覆する腹側部５が形成され、他方の端部には、着用者の背周りを被覆する背側部６が形成されているとともに、腹側部５と背側部６との間に、着用者の股間部を被覆する股下部７が形成されている。
【００２０】
腹側部５及び背側部６は、ほぼ等しい幅を有する略矩形状に形成されている。また、腹側部５の幅方向Ｙ側の両縁部の各々には、腹側取手部材５０が設けられ、背側部６の幅方向Ｙ側の両縁部の各々には、背側取手部材６０が設けられている。
そして、腹側部５の幅方向Ｙ側の各端部と背側部６の幅方向Ｙ側の各端部が、腹側取手部材５０及び背側取手部材６０を介在させて互いに重ね合わされ、固着されることで脇部９を形成する。これにより、紙おむつ１００がパンツ型の形状に成形されるようになっている（図３参照）。
なお、腹側取手部材５０及び背側取手部材６０については後述する。
【００２１】
さらに、腹側部５及び背側部６における外面シート２ａと内面シート２ｂとの間には、複数本の弾性部材（例えば、糸ゴム等）５ａ、６ａが挟み込まれて固着されている。これにより、紙おむつ１００の使用の際に、着用者の胴周り及び腰周りで、紙おむつ１００が伸縮自在となるように構成されている。
【００２２】
また、外装体２の幅方向Ｙ側の両縁部の各々には、腹側部５の幅方向Ｙ側の各端部から股下部７を通り背側部６の幅方向Ｙ側の各端部に亘って、紙おむつ１００の着用者の脚周りを囲む一対の脚周り部１０、１０が形成されている。
脚周り部１０は、紙おむつ１００を使用する着用者の脚周り方向に沿って配設されることで、当該着用者の脚周りを囲むようになっている。
また、脚周り部１０には、着用者の脚周りに対応させて脚周り用開口部１０ａが形成されている。
【００２３】
吸収体３は、外装体２の股下部７、より具体的には、腹側部５の所定位置から股下部７を通って背側部６の所定位置に亘るように外装体２に固定されている（図１参照）。
この吸収体３は、紙おむつ１００の使用時に体液としての尿等の水様成分を吸収するものである。具体的には、吸収体３は、綿やパルプ等の吸収性素材や、繊維或いはフィルム等のシート状基材と高吸水性樹脂とが組み合わされて形成された吸収体コア３ａと、吸収体コア３ａを覆う透液性のクレープ紙、不織布等の被覆部材３ｂとを備えている。
【００２４】
吸収体コア３ａは、例えば、その長手方向Ｘが当該紙おむつ１００の長手方向Ｘとほぼ等しくなるように腹側部５から股下部７を通って背側部６に亘って配設されている。
さらに、吸収体コア３ａは、例えば、当該紙おむつ１００の形状に対応させて、腹側部５側及び背側部６側に対して股下部７側が幅狭となるように内側に凹んで形成されている。
【００２５】
被覆部材３ｂは、吸収体コア３ａを全体的に包装しており、透液性を有して体液を吸収する働きをなす。
【００２６】
吸収体３の外装体２側には、防水フィルム１１が配設されている。
防水フィルム１１は、遮水性を有し、被覆部材３ｂを通過した水様分が外装体２側に漏れることを防止する働きをなす。
【００２７】
ギャザーシート４は、紙おむつ１００におけるトップシート１側において、吸収体３の幅方向Ｙ側の両縁部に、吸収体コア３ａの腹側端部から背側端部にわたり、股下両端部に相当する位置に備えられている。
また、ギャザーシート４は、不透液性の不織布のシートを二つ折りにし、折り合わされた面を、例えば、ホットメルトや、ヒートシール、超音波シール等により固着させることにより形成されている。また、ギャザーシート４は、不織布のシートを二つ折りにした状態で、その基端部がトップシート１と外面シート２ａとの間に挟まれるように固着されることにより固定されている。そして、不織布のシートが折り合わされた面間に、複数本の弾性部材（例えば、糸ゴム等）４ａ、…が挟み込まれている。
【００２８】
このような構造のギャザーシート４が紙おむつ１００に固着されて備えられた状態において、当該ギャザーシート４の自由端部が起立することにより立体ギャザー４ｂが形成される。そして、ギャザーシート４は、弾性部材４ａによって着用者の体型に合わせて伸縮自在に変形することで、着用者の身体に密着するようになっている。
【００２９】
なお、ギャザーシート４を形成する不織布は、上記したトップシート１及び外面シート２ａを形成する不織布とほぼ等しい素材から構成され、また、これら不織布の製造方法もほぼ等しくなっている。
【００３０】
次に、腹側取手部材５０及び背側取手部材６０について、図１、図４及び図５を参照して詳細に説明する。
図４（ａ）は、紙おむつ１００の腹側部５の幅方向Ｙ側の一端部に備わる腹側取手部材５０を拡大して示す図である。また、図４（ｂ）は、図４（ａ）の腹側取手部材５０の第１開口部５３を拡大して示す図である。また、図５は、紙おむつ１００の脇部９の一部を引き剥がした状態を示す斜視図である。
【００３１】
腹側取手部材５０及び背側取手部材６０は、腹側部５及び背側部６の幅方向Ｙ側の両縁部の着用者の肌側となる面、即ち、内面シート２ｂ上に配設されている。
そして、腹側部５の幅方向Ｙ側の各端部と背側部６の幅方向Ｙ側の各端部が固着されて当該紙おむつ１００がパンツ型に成形されることで、腹側部５及び背側部６の幅方向Ｙ側の一端部（例えば、図１における右側端部）に設けられた腹側取手部材５０及び背側取手部材６０と、腹側部５及び背側部６の幅方向Ｙ側の他端部（例えば、図１における左側端部）に設けられた腹側取手部材５０及び背側取手部材６０とがそれぞれ互いに重ね合わされるようになっている。
【００３２】
腹側部５及び背側部６の幅方向Ｙ側の一端部（例えば、図１における右側端部）に設けられた腹側取手部材５０及び背側取手部材６０は、長手方向Ｘの略中央部を通り幅方向Ｙに延在する基準線に対して略対称となる形状に形成されている。
同様に、腹側部５及び背側部６の幅方向Ｙ側の他端部（例えば、図１における左側端部）に設けられた腹側取手部材５０及び背側取手部材６０は、長手方向Ｘの略中央部を通り幅方向Ｙに延在する基準線に対して略対称となる形状に形成されている。
【００３３】
具体的には、腹側取手部材５０及び背側取手部材６０の各々は、例えば、略「Ｌ」字状に形成され、長手方向Ｘに延在する第１取手本体部５１及び第２取手本体部６１と、この第１取手本体部５１及び第２取手本体部６１の各々に連続して形成され、使用者により把持される第１把持部５２及び第２把持部６２とを有している。
なお、腹側取手部材５０及び背側取手部材６０は、例えば、撥水性を有する素材（具体的には、例えば、スパンボンド不織布等）から構成され、その目付量が40〜70g/m2程度に設定されているのが好ましい。
【００３４】
第１取手本体部５１及び第２取手本体部６１は、当該腹側取手部材５０及び背側取手部材６０が設けられた縁部、即ち、腹側部５及び背側部６の幅方向Ｙ側の両縁部における着用者の肌側となる内面シート２ｂ上に貼設されている。
なお、第１取手本体部５１及び第２取手本体部６１を内面シート２ｂに貼設する方法としては、例えば、ホットメルト接着剤による接着、熱融着、熱圧着等が挙げられるが、一例であってこれらに限られるものではない。
【００３５】
また、第１取手本体部５１及び第２取手本体部６１の各々は、幅方向Ｙに略直交する長手方向Ｘ（直交方向）に沿って延在する略矩形状に形成され、内側に略三角形状の第１開口部５３及び第２開口部６３が複数（例えば、８つ）形成されている。
【００３６】
第１開口部５３及び第２開口部６３は、腹側取手部材５０及び背側取手部材６０が設けられた腹側部５及び背側部６の幅方向Ｙ側の各縁部の内面シート２ｂを露出させるものである。
第１開口部５３及び第２開口部６３の各々は、ほぼ等しい寸法をなす三角形状に形成されている。また、第１開口部５３及び第２開口部６３の各々は、固着された腹側部５及び背側部６の幅方向Ｙ側両縁部どうしの引き剥がし方向（例えば、図４（ａ）及び図５における矢印Ａにより指し示す方向）に沿うように、各々の第１取手本体部５１及び第２取手本体部６１に所定間隔を空けて配設されている。
具体的には、複数の第１開口部５３及び第２開口部６３は、各開口部５３、６３の一の角部（例えば、角Ｃ）が第１把持部５２及び第２把持部６２側に位置するように配設されている。これにより、第１開口部５３及び第２開口部６３を介して露出された内面シート２ｂどうしが所定の固着方法により固着された状態で、各第１開口部５３及び第２開口部６３における第１把持部５２及び第２把持部６２側（幅方向Ｙ端部側）の部分の固着面積を第１把持部５２及び第２把持部６２と幅方向Ｙに反対側（幅方向Ｙ中央部側）の部分の固着面積に対して狭くすることができ、幅方向Ｙ端部側を幅方向Ｙ中央部側に対して相対的に引き剥がし易くすることができる。
なお、複数の第１開口部５３及び第２開口部６３は、全ての開口部５３、６３の一の角部（例えば、角Ｃ）が第１把持部５２及び第２把持部６２側に位置するように配設されている必要はなく、これら複数の第１開口部５３及び第２開口部６３のうち、第１把持部５２及び第２把持部６２側（長手方向Ｘの外端部側）の所定数の開口部５３、６３のみが、各開口部５３、６３の一の角部が第１把持部５２及び第２把持部６２と対向するように配置されていれば良い。
【００３７】
また、第１開口部５３及び第２開口部６３の各々は、引き剥がし方向下流側、即ち、第１取手本体部５１及び第２取手本体部６１における長手方向Ｘの股下部７側に第１開口部５３及び第２開口部６３の各々の一の鋭角（例えば、角Ｂ）が配置されるように引き剥がし方向に沿って所定間隔を空けて配設されている。
これにより、第１開口部５３及び第２開口部６３を介して露出された内面シート２ｂどうしが所定の固着方法により固着された状態で、各第１開口部５３及び第２開口部６３における引き剥がし方向下流側の部分の固着面積を引き剥がし方向上流側の部分の固着面積に対して狭くすることができ、引き剥がし方向下流側を引き剥がし方向上流側に対して相対的に引き剥がし易くすることができる。
【００３８】
また、第１開口部５３及び第２開口部６３の各々は、幅方向Ｙ内側、即ち、第１取手本体部５１及び第２取手本体部６１における第１把持部５２及び第２把持部６２が設けられている側と反対側の一の辺（例えば、辺ＡＢ）が幅方向Ｙと略直交する長手方向Ｘ（直交方向）に延在するように配設されている。
これにより、第１開口部５３及び第２開口部６３を介して露出された内面シート２ｂどうしが所定の固着方法により固着された状態で、各第１開口部５３及び第２開口部６３における第１把持部５２及び第２把持部６２と幅方向Ｙに反対側（幅方向Ｙ中央部側）の部分の固着強度を第１把持部５２及び第２把持部６２側（幅方向Ｙ端部側）に対して相対的に高くすることができる。よって、例えば、着用者が紙おむつ１００を装着した状態などに、当該紙おむつ１００を胴周り方向及び腰周り方向に伸張させるような力が加えられた場合であっても、各第１開口部５３及び第２開口部６３における第１把持部５２及び第２把持部６２と反対側（幅方向Ｙ中央部側）の部分、即ち、紙おむつ１００の脇部９を構成する部分を剥がれ難くすることができ、脇部９の強度を十分に確保することができる。
【００３９】
従って、腹側取手部材５０に形成された複数の第１開口部５３、…と背側取手部材６０に形成された複数の第２開口部６３、…とは、当該腹側取手部材５０及び背側取手部材６０が重ね合わされた状態で、互いに対向するようになっている。
即ち、当該腹側取手部材５０及び背側取手部材６０が重ね合わされた状態で、腹側取手部材５０及び背側取手部材６０の各々に形成された第１開口部５３及び第２開口部６３のうち、長手方向Ｘの最も外端部側に形成された第１開口部５３及び第２開口部６３どうし、これら第１開口部５３及び第２開口部６３よりも長手方向Ｘの一つ内側に形成された第１開口部５３及び第２開口部６３どうし、さらに一つ内側に形成された第１開口部５３及び第２開口部６３どうしといったように、腹側取手部材５０及び背側取手部材６０の各々に形成された第１開口部５３及び第２開口部６３の全てが互いに対向するような配置となっている。
【００４０】
そして、腹側取手部材５０及び背側取手部材６０が重ね合わされた状態で、互いに対向する当該腹側取手部材５０及び背側取手部材６０の各々に形成された第１開口部５３及び第２開口部６３の各々を介して露出された内面シート２ｂどうしが所定の固着方法により固着される。即ち、腹側部５の幅方向Ｙ側の各端部と背側部６の幅方向Ｙ側の各端部が、腹側取手部材５０及び背側取手部材６０を介在させて互いに重ね合わされ、固着されることによって、当該紙おむつ１００がパンツ型に成形される。
【００４１】
なお、内面シート２ｂどうしを固着する方法としては、例えば、ホットメルト接着剤による接着、熱融着、熱圧着等が挙げられるが、一例であってこれらに限られるものではない。また、内面シート２ｂどうしを所定の接着剤により接着させた場合、このときの接着強度は、第１取手本体部５１及び第２取手本体部６１を所定の接着剤により内面シート２ｂに接着させた場合の接着強度以下に設定されるのが好ましい。なお、接着強度の具体的な数値としては、例えば、内面シート２ｂどうしの接着強度を1〜3kgf（25mm幅）程度に設定し、第１取手本体部５１及び第２取手本体部６１と内面シート２ｂとの接着強度を3kgf（25mm幅）程度に設定しても良い。なお、上記の接着強度の測定条件として、内面シート２ｂどうしの引張速度や第１取手本体部５１及び第２取手本体部６１と内面シート２ｂとの引張速度は、例えば、500mm/minとなっている。
また、第１開口部５３及び第２開口部６３の各々を介して露出される内面シート２ｂどうしを固着する場合、各第１開口部５３及び第２開口部６３から露出される内面シート２ｂの全ての領域どうしを固着しても良いし、そのうちの一部分（例えば、第１開口部５３及び第２開口部６３のより中央側に近い部分等）のみどうしを固着しても良い。
【００４２】
第１把持部５２及び第２把持部６２の各々は、固着された腹側部５及び背側部６の幅方向Ｙ側両縁部どうしを引き剥がす際に使用者により把持される部分である。
第１把持部５２及び第２把持部６２の各々は、第１取手本体部５１及び第２取手本体部６１の引き剥がし方向上流側、即ち、長手方向Ｘの外側端部に連続して形成され、腹側部５及び背側部６の幅方向Ｙ側両縁部よりも幅方向Ｙ外側に突出するように、角部が面取りされた略矩形状に形成されている。
これにより、腹側取手部材５０に設けられた把持部５２と背側取手部材６０に設けられた把持部６２とは、当該腹側取手部材５０及び背側取手部材６０が重ね合わされた状態で、互いに対向するようになっている。
【００４３】
なお、腹側取手部材５０及び背側取手部材６０の寸法は、パンツ型に成形された状態での脇部９の強度、腹側部５及び背側部６の幅方向Ｙ側両縁部どうしの引き剥がし易さ等を考慮して設定されるのが望ましい。例えば、各第１開口部５３及び第２開口部６３の各辺（辺ＡＢ、辺ＢＣ、辺ＡＣ）の長さを10mm以下とし、隣合う開口部どうしの間隔（一の第１開口部５３及び第２開口部６３の角Ｂと隣合う第１開口部５３及び第２開口部６３の角Ａとの距離）を10mm以下とし、把持部の各辺を10mm以上としても良い。また、例えば、各開口部の角Ｂの大きさ（辺ＡＢと辺ＢＣとによりなす角度）、角Ａの大きさ（辺ＡＢと辺ＡＣとによりなす角度）は、限定せず、角Ｃの大きさ（辺ＡＣと辺ＢＣとによりなす角度）は、90度以下としても良い。即ち、角Ｂ、Ｃを鋭角とした場合には、角Ａを直角としても良いし、鈍角としても良いし、鋭角としても良い。
【００４４】
次に、当該紙おむつ１００の脇部９、即ち、固着された腹側部５及び背側部６の幅方向Ｙ側両縁部どうしを引き剥がす際の動作について説明する。
【００４５】
先ず、使用者は、当該紙おむつ１００の一側（例えば、右側）の脇部９に設けられ、互いに対向するように配設された腹側取手部材５０の第１把持部５２及び背側取手部材６０の第２把持部６２のうち、一方の把持部（例えば、第１把持部５２）を左手の２つの指（例えば、親指と人差し指等）で把持するとともに、他方の把持部（例えば、第２把持部６２）を右手の２つの指（例えば、親指と人差し指等）で把持する。
そして、第１把持部５２及び第２把持部６２が互いに離れる方向に力を加えると、腹側部５及び背側部６の幅方向Ｙ側の両縁部の内面シート２ｂのうち、腹側取手部材５０及び背側取手部材６０の長手方向Ｘの最も外側に形成された対向する第１開口部５３及び第２開口部６３を介して露出され固着された部分、これら第１開口部５３及び第２開口部６３よりも長手方向Ｘの一つ内側に形成された対向する第１開口部５３及び第２開口部６３を介して露出され固着された部分、さらに一つ内側に形成された対向する第１開口部５３及び第２開口部６３を介して露出され固着された部分といったような順番で、図４（ａ）及び図５における矢印Ａの指し示す引き剥がし方向に順次剥がされていく。
つまり、第１開口部５３及び第２開口部６３を介して露出され内面シート２ｂどうしが固着された部分は、第１把持部５２及び第２把持部６２が設けられている幅方向Ｙ端部側が幅方向Ｙ中央部側に対して相対的に引き剥がし易くされているとともに、引き剥がし方向下流側が引き剥がし方向上流側に対して相対的に引き剥がし易くされているので、第１把持部５２及び第２把持部６２が互いに離れる方向に力が加えられると、第１開口部５３及び第２開口部６３の各々を介して内面シート２ｂどうしが固着された部分は、図４（ａ）及び図５における矢印Ａの指し示す方向に順次引き剥がされることとなる。
【００４６】
紙おむつ１００の一側（例えば、右側）の脇部９の引き剥がしが終了すると、他側（例えば、左側）の脇部９についても上記と同様の手法に従って引き剥がす。
【００４７】
以上のように、本実施形態の紙おむつ１００によれば、固着された腹側部５及び背側部６の幅方向Ｙ側両縁部どうしを引き剥がす際に、腹側取手部材５０及び背側取手部材６０の対向する第１把持部５２及び第２把持部６２が使用者により把持されて当該第１把持部５２及び第２把持部６２が互いに離れる方向に力が加えられるだけで、腹側部５及び背側部６の腹側取手部材５０及び背側取手部材６０が設けられた幅方向Ｙ側両縁部における、第１開口部５３及び第２開口部６３を介して露出され固着された部分を容易に引き剥がすことができる。
即ち、腹側部５及び背側部６に所定の伸縮作用を有する弾性部材（例えば、弾性部材５ａ、６ａ等）が配設されている場合、第１把持部５２及び第２把持部６２が互いに離れる方向と腹側部５及び背側部６が弾性部材の伸縮作用により収縮しようとする方向がほぼ等しい方向となる。このため、腹側部５及び背側部６は、第１把持部５２及び第２把持部６２が互いに離れる方向の力に対しては弾性部材の伸縮作用の影響を受け難く、固着された腹側部５及び背側部６の幅方向Ｙ側両縁部どうしを引き剥がす際に、腹側部５や背側部６が伸張し難くなって当該腹側部５と背側部６とを容易に引き剥がすことができる。
【００４８】
特に、第１開口部５３及び第２開口部６３の各々は、各開口部５３、６３の一の角部が第１把持部５２及び第２把持部６２側に位置するように配設されているので、各第１開口部５３及び第２開口部６３における第１把持部５２及び第２把持部６２側ほど固着面積を狭くすることができる。さらに、第１開口部５３及び第２開口部６３の各々は、腹側部５及び背側部６の引き剥がし方向下流側に各第１開口部５３及び第２開口部６３の一の角部が配設されるように当該引き剥がし方向に沿って所定間隔を空けて配設されているので、各第１開口部５３及び第２開口部６３における引き剥がし方向下流側ほど腹側部５と背側部６との固着面積を狭くすることができる。
つまり、第１開口部５３及び第２開口部６３における第１把持部５２及び第２把持部６２側の部分の固着面積が第１把持部５２及び第２把持部６２と幅方向Ｙに反対側の部分の固着面積に対して狭くされているので、固着された腹側部５と背側部６とにおける幅方向Ｙ端部側を幅方向Ｙ中央部側に対して相対的に引き剥がし易くすることができる。さらに、第１開口部５３及び第２開口部６３の各々について、固着された腹側部５と背側部６との引き剥がし方向下流側における固着面積が引き剥がし方向上流側における固着面積に対して狭くされているので、引き剥がし方向下流側を引き剥がし方向上流側に対して相対的に引き剥がし易くすることができる。
よって、第１把持部５２及び第２把持部６２が互いに離れる方向に力が加えられだけで、腹側部５と背側部６との第１開口部５３及び第２開口部６３の各々を介して固着された部分を引き剥がし方向に沿って順次引き剥がすことができる。
【００４９】
以下に、腹側取手部材５０及び背側取手部材６０の変形例について説明する。
＜変形例１＞
図６（ａ）は、変形例１の紙おむつ１００の腹側部５の幅方向Ｙ側の一端部に備わる腹側取手部材１５０を拡大して示す図である。また、図６（ｂ）は、図６（ａ）の腹側取手部材１５０の第１開口部１５３を拡大して示す図である。
なお、変形例１の紙おむつ１００は、以下に説明する腹側取手部材１５０及び背側取手部材（図示略）の形状以外の点で上記実施形態におけるものと同様であるので、その説明を省略する。また、以下の説明では、図６（ａ）及び図６（ｂ）を参照して腹側取手部材１５０を例示するが、腹側取手部材１５０及び図示しない背側取手部材は、腹側部５及び背側部６の幅方向Ｙ側の両縁部にて、長手方向Ｘの略中央部を通り幅方向Ｙに延在する基準線に対して略対称となる形状に形成されている。
【００５０】
変形例１の紙おむつ１００に備わる腹側取手部材１５０及び背側取手部材の各々は、第１把持部１５２及び第２把持部（図示略）が第１取手本体部１５１及び第２取手本体部（図示略）の長手方向Ｘの内側端部、即ち、股下部７側の端部に連続して形成されている。そして、固着された腹側部５及び背側部６の幅方向Ｙ側両縁部どうしの引き剥がし方向（例えば、図６（ａ）における矢印Ａにより指し示す方向）が、上記実施形態と逆向きとなっている。
つまり、第１取手本体部１５１及び第２取手本体部には、第１開口部１５３及び第２開口部（図示略）が上記実施形態における第１開口部５３及び第２開口部６３の向きと逆向きとなるように、即ち、長手方向Ｘの端部側に第１開口部１５３及び第２開口部の各々の一の鋭角（例えば、角Ｂ）が配置され、且つ、幅方向Ｙ内側の一の辺（例えば、辺ＡＢ）が長手方向Ｘに延在するように第１開口部１５３及び第２開口部の各々が配設されている。
【００５１】
これにより、腹側取手部材１５０及び背側取手部材の第１把持部１５２及び第２把持部が互いに離れる方向に力が加えられると、腹側部５及び背側部６の幅方向Ｙ側の両縁部の内面シート２ｂのうち、腹側取手部材１５０及び背側取手部材の長手方向Ｘの最も中央部側に形成された対向する第１開口部１５３及び第２開口部を介して固着された部分、これら第１開口部１５３及び第２開口部よりも長手方向Ｘの一つ外側に形成された対向する第１開口部１５３及び第２開口部を介して露出され固着された部分、さらに一つ外側に形成された対向する第１開口部１５３及び第２開口部を介して露出され固着された部分といったような順番で、図６（ａ）における矢印Ａの指し示す引き剥がし方向に順次剥がされていく。
【００５２】
従って、このような構成としても、上記実施形態と同様に、腹側取手部材１５０及び背側取手部材の対向する第１把持部１５２及び第２把持部が使用者により把持されて当該第１把持部１５２及び第２把持部が互いに離れる方向に力が加えられるだけで、腹側部５及び背側部６の腹側取手部材１５０及び背側取手部材が設けられた幅方向Ｙ側両縁部における、対向する第１開口部５３及び第２開口部を介して露出され固着された部分を引き剥がし方向に沿って順次引き剥がすことができる。
【００５３】
＜変形例２＞
図７（ａ）は、変形例２の紙おむつ１００の腹側部５の幅方向Ｙ側の一端部に備わる腹側取手部材２５０を拡大して示す図である。また、図７（ｂ）は、図７（ａ）の腹側取手部材２５０の第１開口部２５３を拡大して示す図である。
なお、変形例２の紙おむつ１００は、以下に説明する腹側取手部材２５０及び背側取手部材の形状以外の点で上記実施形態におけるものと同様であるので、その説明を省略する。また、以下の説明では、図７（ａ）及び図７（ｂ）を参照して腹側取手部材２５０を例示するが、腹側取手部材２５０及び図示しない背側取手部材は、腹側部５及び背側部６の幅方向Ｙ側の両縁部にて、長手方向Ｘの略中央部を通り幅方向Ｙに延在する基準線に対して略対称となる形状に形成されている。
【００５４】
変形例２の紙おむつ１００に備わる腹側取手部材２５０及び背側取手部材は、第１把持部２５２及び第２把持部（図示略）が第１取手本体部２５１及び第２取手本体部（図示略）の長手方向Ｘの略中央部に連続して形成されている。そして、固着された腹側部５及び背側部６の幅方向Ｙ側両縁部どうしの引き剥がし方向（例えば、図７（ａ）における矢印Ａにより指し示す方向）が、第１取手本体部２５１及び第２取手本体部の長手方向Ｘの略中央部から端部側に離れていく２つの方向となっている。
つまり、第１取手本体部２５１及び第２取手本体部には、各取手本体部の長手方向Ｘの略中央部を通り幅方向Ｙに延在する基準線に対して略対称となるような形状で複数の第１開口部２５３及び第２開口部（図示略）がそれぞれ形成されている。
【００５５】
複数の第１開口部２５３及び第２開口部は、幅方向Ｙ内側の一の辺（例えば、辺ＡＢ）が長手方向Ｘに延在するように配設されている。また、複数の第１開口部２５３及び第２開口部は、引き剥がし方向に応じて形状を異ならせている。即ち、第１開口部２５３及び第２開口部の各々は、幅方向Ｙ内側の一の辺（例えば、辺ＡＢ）の長手方向Ｘ中央部側の点（例えば、頂点Ａ）と第１把持部２５２及び第２把持部の幅方向Ｙ外側の縁部であって長手方向Ｘの略中央部の一の点Ｏとを結ぶ直線上に、幅方向Ｙ外側の一の頂点（例えば、頂点Ｃ）が存するように配設されている。
これにより、第１開口部２５３及び第２開口部を介して露出された内面シート２ｂどうしが所定の固着方法により固着された状態で、各第１開口部２５３及び第２開口部における第１把持部２５２及び第２把持部の一の点Ｏから最も近い部分（例えば、頂点Ｃの近傍部分）の固着面積を最も狭くして、幅方向Ｙ中央部側や長手方向Ｘの端部側の他の部分に対して相対的に引き剥がし易くすることができる。
なお、第１把持部２５２及び第２把持部の一の点Ｏの位置は、長手方向Ｘの略中央部であれば良く、必ずしも幅方向Ｙ外側の縁部上である必要はない。
【００５６】
これにより、腹側取手部材２５０及び背側取手部材の第１把持部２５２及び第２把持部が互いに離れる方向に力が加えられると、腹側部５及び背側部６の幅方向Ｙ側の両縁部の内面シート２ｂのうち、腹側取手部材２５０及び背側取手部材の長手方向Ｘの中央部側に形成された対向する２組の第１開口部２５３及び第２開口部を介して露出され固着された部分、これら第１開口部２５３及び第２開口部を長手方向Ｘに挟む、当該第１開口部２５３及び第２開口部よりも一つ端部側に形成された対向する２組の第１開口部２５３及び第２開口部を介して露出され固着された部分、さらに一つ端部側に形成された対向する２組の第１開口部２５３及び第２開口部を介して露出され固着された部分といったような順番で、図７（ａ）における矢印Ａの指し示す引き剥がし方向、即ち、取手本体部２５１の長手方向Ｘの略中央部から端部側に離れていく２つの方向に順次剥がされていく。
【００５７】
従って、このような構成としても、上記実施形態と同様に、腹側取手部材２５０及び背側取手部材の対向する第１把持部２５２及び第２把持部が使用者により把持されて当該第１把持部２５２及び第２把持部が互いに離れる方向に力が加えられるだけで、腹側部５及び背側部６の腹側取手部材２５０及び背側取手部材が設けられた幅方向Ｙ側両縁部における、対向する第１開口部２５３及び第２開口部を介して露出され固着された部分を引き剥がし方向に沿って順次引き剥がすことができる。
【００５８】
なお、上記変形例２にあっては、上記実施形態や変形例１と同様に、複数の第１開口部２５３及び第２開口部の全てを略等しい形状としても良い。即ち、例えば、第１開口部２５３及び第２開口部を、ほぼ等しい鋭角を２つ有する二等辺三角形状として、長手方向Ｘに沿って２つの鋭角（例えば、角Ａ及び角Ｂ）が並ぶように所定間隔を空けて配設されても良い。さらに、複数の第１開口部２５３及び第２開口部のうち、腹側取手部材２５０及び背側取手部材の長手方向Ｘの中央部側の所定数の第１開口部２５３及び第２開口部を二等辺三角形状とし、それらよりも長手方向Ｘの端部側のものは、上記変形例２と同様に、引き剥がし方向に応じて形状を適宜任意に変更しても良い。
【００５９】
なお、本発明は、上記実施形態に限定されることなく、本発明の趣旨を逸脱しない範囲において、種々の改良並びに設計の変更を行っても良い。
例えば、上記実施形態及び変形例１にあっては、引き剥がし方向に沿って並設される第１開口部５３（１５３）及び第２開口部６３の各々をほぼ等しい形状及び寸法に形成するようにしたが、これに限られるものではなく、上記変形例２と同様に、引き剥がし方向に応じて、隣合う第１開口部５３及び第２開口部６３どうしで形状や寸法を異ならせるようにしても良い。
さらに、第１開口部５３及び第２開口部６３として三角形状のものを例示して説明したが、一例であってこれに限られるものではなく、多角形状（例えば、四角形状等）であれば適宜任意に変更可能である。さらに、各角部（例えば、角Ａ、Ｂ、Ｃ）の配置等も適宜任意に変更可能である。
また、腹側取手部材５０（１５０、２５０）及び背側取手部材における第１把持部５２（１５２、２５２）及び第２把持部６２の位置や形状も上記したものは一例であって、これらに限られるものではなく、適宜任意に変更可能である。
【００６０】
また、上記実施形態及び各変形例にあっては、腹側取手部材５０（１５０、２５０）及び背側取手部材６０を、腹側部５及び背側部６の幅方向Ｙ側両縁部に設けるようにしたが、少なくとも一側の縁部に設けられていても良い。
【００６１】
さらに、腹側取手部材５０（１５０、２５０）及び背側取手部材６０の第１把持部５２（１５２，２５２）及び第２把持部６２を腹側部５及び背側部６の所定位置に所定の止着方法（例えば、面ファスナー等）により止着可能に構成しても良く、これにより、当該紙おむつ１００の使用の際に、第１把持部５２（１５２，２５２）及び第２把持部６２が邪魔になること、さらに、子供などが誤って引っ張ってしまうことも防止することができる。
【符号の説明】
【００６２】
１００  紙おむつ
２      外装体
３      吸収体
５      腹側部
６      背側部
７      股下部
５０、１５０、２５０  腹側取手部材
５１、１５１、２５１  第１取手本体部
５２、１５２、２５２  第１把持部
５３、１５３、２５３  第１開口部
６０    背側取手部材
６１    第２取手本体部
６２    第２把持部
６３    第３開口部
【図１】
0005512479.tif 000002
【図２】
0005512479.tif 000003
【図３】
0005512479.tif 000004
【図４】
0005512479.tif 000005
【図５】
0005512479.tif 000006
【図６】
0005512479.tif 000007
【図７】
0005512479.tif 000008